【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
表面ポリアミド樹脂組成物で作られた少なくとも一部分を有する表面を有し、かつ不織構造、生地、繊維詰め物およびその組み合わせから選択される繊維状材料を含む、複合構造であって、
前記繊維状材料が、マトリックス樹脂組成物で含浸されており、前記表面ポリアミド樹脂組成物が：
ａ）１種または複数種の半芳香族ポリアミド（Ａ）；ならびに
ｂ）脂肪族ジカルボン酸および脂肪族ジアミンから誘導される反復単位を含むポリアミド、脂肪族アミノカルボン酸から誘導される反復単位を含むポリアミド、およびラクタムから誘導されるポリアミドからなる群から選択される１種または複数種の完全脂肪族ポリアミド（Ｂ）；
のブレンドを含むポリアミド組成物から選択される、複合構造。
【請求項２】
ｉ）表面ポリアミド樹脂組成物で作られた少なくとも一部分を有する表面を有し、かつ不織構造、生地、繊維詰め物およびその組み合わせから選択される繊維状材料を含む、第１構成部分であって、前記繊維状材料がマトリックス樹脂組成物で含浸されている第１構成部分と、
ｉｉ）オーバーモールド成形用樹脂組成物を含む第２構成部分と、
を含むオーバーモールド成形複合構造であって、
前記オーバーモールド成形用樹脂組成物および前記表面ポリアミド樹脂組成物が同一または異なり、かつ
ａ）芳香族ジカルボン酸および脂肪族ジアミンから誘導される反復単位を含む１種または複数種の半芳香族ポリアミド（Ａ）；ならびに
ｂ）脂肪族ジカルボン酸および脂肪族ジアミンから誘導される反復単位を含むポリアミド、脂肪族アミノカルボン酸から誘導される反復単位を含むポリアミド、およびラクタムから誘導されるポリアミドからなる群から選択される１種または複数種の完全脂肪族ポリアミド（Ｂ）；
のブレンドを含むポリアミド組成物から選択され、
前記第２構成部分が、前記第１構成部分の表面の少なくとも一部分上で前記第１構成部分に接着される、オーバーモールド成形複合構造。
【手続補正２】
【補正対象書類名】明細書
【補正対象項目名】００７３
【補正方法】変更
【補正の内容】
【００７３】
対照的に、本発明（Ｅ１）による実施例は、接着強さの値７１Ｎを示した。完全脂肪族ポリアミドＰＡ６，６と半芳香族ポリアミドのブレンドで作られた組成物を含むオーバーモールド成形用樹脂を含むオーバーモールド成形構成部分と、完全脂肪族ポリアミドＰＡ６，６と半芳香族ポリアミドのブレンドを含む表面樹脂組成物で作られた表面を有する複合構成部分との接着性が、比較例（Ｃ１およびＣ２）よりも高いだけでなく、接着強さの値も、オーバーモールド成形工程前の予熱の有無に依存しなかった。このような結果から、オーバーモールド成形用樹脂と、本発明（Ｅ１）によるオーバーモールド成形複合構造の表面樹脂組成物との接着性および接着強さが高いことから、予熱工程の必要性が大幅に低減されるか、または無くなり、したがってこれは、移動時間が増加し、その結果、加工の窓が広くなり、成形装置および自動化コストが削減されることを意味する。
本発明は以下の実施の態様を含むものである。
１．表面ポリアミド樹脂組成物で作られた少なくとも一部分を有する表面を有し、かつ不織構造、生地、繊維詰め物およびその組み合わせから選択される繊維状材料を含む、複合構造であって、
前記繊維状材料が、マトリックス樹脂組成物で含浸されており、前記表面ポリアミド樹脂組成物が：
ａ）１種または複数種の半芳香族ポリアミド（Ａ）；ならびに
ｂ）脂肪族ジカルボン酸および脂肪族ジアミンから誘導される反復単位を含むポリアミド、脂肪族アミノカルボン酸から誘導される反復単位を含むポリアミド、およびラクタムから誘導されるポリアミドからなる群から選択される１種または複数種の完全脂肪族ポリアミド（Ｂ）；
のブレンドを含むポリアミド組成物から選択される、複合構造。
２．前記繊維状材料が、ガラス繊維、炭素繊維、アラミド繊維、天然繊維またはその混合物で作られている、前記１．に記載の複合構造。
３．前記繊維状材料が、ガラス繊維で作られている、前記２．に記載の複合構造。
４．前記マトリックス樹脂組成物が、１種または複数種のポリアミドで作られている、または前記１．に記載の表面ポリアミド樹脂組成物から選択される、前記１．から３．のいずれか一項に記載の複合構造。
５．前記マトリックス樹脂組成物および前記表面ポリアミド樹脂組成物が同一または異なり、かつ前記１．に記載の表面樹脂ポリアミド組成物から選択される、前記１．から４．のいずれか一項に記載の複合構造。
６．前記マトリックス樹脂組成物および前記表面ポリアミド樹脂組成物が同一である、前記５．に記載の複合構造。
７．前記ポリアミド組成物の前記１種または複数種の半芳香族ポリアミド（Ａ）と前記１種または複数種の完全脂肪族ポリアミド（Ｂ）の重量比（Ａ：Ｂ）が、約９９：１〜約５：９５である、前記１．から６．のいずれか一項に記載の複合構造。
８．前記１種または複数種の半芳香族ポリアミド（Ａ）の前記ジカルボン酸が、テレフタル酸、イソフタル酸およびその混合物から選択される、前記１．から７．のいずれか一項に記載の複合構造。
９．前記１種または複数種の半芳香族ポリアミド（Ａ）がさらに、１種または複数種の脂肪族カルボン酸を含む、前記１．から８．のいずれか一項に記載の複合構造。
１０．前記１種または複数種の半芳香族ポリアミド（Ａ）に含まれる前記脂肪族ジアミンが、ヘキサメチレンジアミン、２−メチルペンタメチレンジアミンおよびその混合物から選択される、前記１．から９．のいずれか一項に記載の複合構造。
１１．前記１種または複数種の完全脂肪族ポリアミド（Ｂ）の前記脂肪族ジカルボン酸が、アジピン酸およびドデカン２酸から選択される、前記１．から１０．のいずれか一項に記載の複合構造。
１２．前記１種または複数種の完全脂肪族ポリアミド（Ｂ）の前記脂肪族ジアミンが、テトラメチレンジアミンおよびヘキサメチレンジアミンから選択される、前記１．から１１．のいずれか一項に記載の複合構造。
１３．シート構造の形状をとる、前記１．から１２．のいずれか一項に記載の複合構造。
１４．自動車、トラック、民間飛行機、航空宇宙、鉄道、家電製品、コンピューターのハードウェア、携帯端末、レクリエーションおよびスポーツ用品の構成部分、機械用の構造部材、建物用の構造部材、光起電装置用の構造部材または機械装置用の構造部材の形をとる、前記１．から１３．のいずれか一項に記載の複合構造。
１５．ｉ）表面ポリアミド樹脂組成物で作られた少なくとも一部分を有する表面を有し、かつ不織構造、生地、繊維詰め物およびその組み合わせから選択される繊維状材料を含む、第１構成部分であって、前記繊維状材料がマトリックス樹脂組成物で含浸されている第１構成部分と、
ｉｉ）オーバーモールド成形用樹脂組成物を含む第２構成部分と、
を含むオーバーモールド成形複合構造であって、
前記オーバーモールド成形用樹脂組成物および前記表面ポリアミド樹脂組成物が同一または異なり、かつ
ａ）芳香族ジカルボン酸および脂肪族ジアミンから誘導される反復単位を含む１種または複数種の半芳香族ポリアミド（Ａ）；ならびに
ｂ）脂肪族ジカルボン酸および脂肪族ジアミンから誘導される反復単位を含むポリアミド、脂肪族アミノカルボン酸から誘導される反復単位を含むポリアミド、およびラクタムから誘導されるポリアミドからなる群から選択される１種または複数種の完全脂肪族ポリアミド（Ｂ）；
のブレンドを含むポリアミド組成物から選択され、
前記第２構成部分が、前記第１構成部分の表面の少なくとも一部分上で前記第１構成部分に接着される、オーバーモールド成形複合構造。